(57)【要約】【課題】高湿度の空気流に対して保護する構成が不要であって、十分に結露させて放電することができ、帯電微細水滴を安定して発生できる加湿装置を提供することを目的とする。【解決手段】遠心式送風機１８はファンケーシング１７の吐出口１７ｂを本体ケース６の吹出口１に臨ませて配設され、静電霧化手段８は、本体ケース６の天面の下方にファンケーシング１７の吸込口側風路と遮断して形成されるとともに本体ケース６の外部と連通する吸込開口を備えた空間部２７に配設され、帯電微細水滴を空間部２７からファンケーシング１７内に誘引する構成としたことにより、高湿度の空気流に対して保護する構成が不要となり、しかも、空間部２７内の温度が低くなり、放熱部の放熱性が良好となって静電霧化機能が向上し、帯電微細水滴を安定して供給できることとなる。【選択図】図３
2011153782.tif 000002
【特許請求の範囲】
【請求項１】
天面に吹出口と背面に吸気口を有し、内部に前記吹出口と前記吸気口を連通する送風路を形成した本体ケースと、前記送風路に設けた加湿手段および前記加湿手段を通過させて空気を通風する送風手段と、高電圧が印加される放電極、前記放電極に対向して設けた対向電極、および冷却部と放熱部を設けた熱交換部からなる静電霧化手段とからなる加湿装置であって、前記送風手段は、遠心ファンを内包するファンケーシングを備えた遠心式送風機で、前記ファンケーシングの吐出口を前記本体ケースの吹出口に臨ませて配設され、前記静電霧化手段は、前記本体ケースの天面の下方に前記ファンケーシングの吸込口側風路と遮断して形成されるとともに前記本体ケースの外部と連通する吸込開口を備えた空間部に配設され、その帯電微細水滴を前記空間部から前記ファンケーシング内に誘引する構成としたことを特徴とする加湿装置。
【請求項２】
前記遠心式送風機は、左右両方向に突設したモーターの回転軸に固着した２個の遠心ファンと、前記遠心ファンを内包する２個のファンケーシングとからなる遠心式送風機であり、前記空間部が前記２個のファンケーシングの間に形成されたことを特徴とする請求項１に記載の加湿装置。
【請求項３】
前記静電霧化手段における帯電微細水滴の放出口と前記ファンケーシングの側面に形成したケーシング連通口とを連通する連通筒を設けたことを特徴とする請求項１または２に記載の加湿装置。
【請求項４】
前記ケーシング連通口を前記ファンケーシングの吐出口近傍の側面に設けたことを特徴とする請求項３に記載の加湿装置。
【請求項５】
前記ファンケーシングの吐出口には、対向する前記側面のそれぞれを外方へ段差状に曲折して幅広部が形成され、前記幅広部にケーシング連通口を形成したことを特徴とする請求項４に記載の加湿装置。
【請求項６】
前記静電霧化手段は、前記熱交換部の放熱部を前記ファンケーシングの近傍に位置させて設けられたことを特徴とする請求項１〜５のいずれかにに記載の加湿装置。
【請求項７】
前記静電霧化手段は、前記放熱部が複数枚の放熱板を平行に並設して構成され、前記連通筒および放熱板を横方向に配置し、前記放熱板間の空隙を垂直方向にして取り付けられたことを特徴とする請求項１〜６のいずれかにに記載の加湿装置。
【請求項８】
前記静電霧化手段は、前記熱交換部の放熱部を前記ファンケーシングの吸込口側風路に連通する空間に位置させて設けられたことを特徴とする請求項１〜５のいずれかにに記載の加湿装置。
【請求項９】
前記静電霧化手段は、前記放出口および放熱板を縦方向に配置し、前記連通筒をＬ字形状にして前記ケーシング連通口と連通させたことを特徴とする請求項８に記載の加湿装置。
【請求項１０】
前記静電霧化手段は、前記放出口および放熱板を縦方向に配置し、前記連通筒に略直角の曲折部を形成して前記本体ケースの天面に設けた上向き連通口に連通させたことを特徴とする請求項８に記載の加湿装置。
【請求項１１】
前記連通筒の曲折部に水抜き穴を設けたことを特徴とする請求項１０に記載の加湿装置。
【発明の詳細な説明】
【技術分野】
【０００１】
本発明は、給水された水を含んだ加湿フィルターに通風することにより室内を加湿する加湿装置であって、静電霧化手段を備えた加湿装置に関するものである。
【背景技術】
【０００２】
従来のこの種の加湿装置の一例として、特許文献１に開示された加湿装置が知られている。
【０００３】
特許文献１に記載の加湿装置は、吸込口と吹出口を連通する空気流路が形成された本体に、加湿手段と、この加湿手段を通過させて加湿空気を空気流路に通風する送風機と、帯電微細水滴を発生する静電霧化手段とを設け、静電霧化手段は、高電圧が印加される放電極と、放電極に対向して設けた対向電極と、冷却部と放熱部を備えた熱交換部とからなり、加湿手段の下流側に位置させた構成としている。
【先行技術文献】
【特許文献】
【０００４】
【特許文献１】特開２００８−２９９７３号公報
【発明の概要】
【発明が解決しようとする課題】
【０００５】
このような従来の加湿装置では、静電霧化手段は、放電極に水分を結露させて放電することにより帯電微細水滴を発生するものであるので、加湿手段の下流側に設けられることにより、高湿度の空気が触れて結露しやすくなって静電霧化機能は向上するが、静電霧化手段は高湿度の空気流にさらされ、放電極１９だけでなく周囲にも結露する場合がある。周囲に結露すると、熱交換部２４を構成する半導体電子熱交換素子であるペルチェ素子は水に弱いので、ペルチェ素子にまで水が浸入するのを阻止する構成を施す必要がある。
【０００６】
そこで、本発明は、上記従来の課題を解決して、高湿度の空気流に対して保護する構成が不要で、帯電微細水滴を安定して供給できる加湿装置を提供することを目的とする。
【課題を解決するための手段】
【０００７】
そして、この目的を達成するために、本発明の加湿装置は、送風手段は、遠心ファンを内包するファンケーシングを備えた遠心式送風機で、前記ファンケーシングの吐出口を前記本体ケースの吹出口に臨ませて配設され、前記静電霧化手段は、前記本体ケースの天面の下方に前記ファンケーシングの吸込口側風路と遮断して形成されるとともに前記本体ケースの外部と連通する吸込開口を備えた空間部に配設され、その帯電微細水滴を前記空間部から前記ファンケーシング内に誘引する構成としたものである。
【発明の効果】
【０００８】
本発明によれば、静電霧化手段は、加湿手段の下流側であるファンケーシングの吸込側風路と遮断して形成された空間部に配設されるので、吸込側風路に通風される高湿度の空気流に対して保護する構成が不要となり、しかも、空気流が加湿手段を通過するときに気化熱が奪われて温度が低下する空気流の通風するファンケーシングは、その吐出口を本体ケースの天面の吹出口に臨ませて配設されるので、静電霧化手段を配設する空間部とともに本体ケースの天面の下方に設けられることとなり、空間部内の温度も低くなって放熱部の放熱性が良好となり、静電霧化機能が向上し、帯電微細水滴を安定して供給できることとなる。
【図面の簡単な説明】
【０００９】
【図１】本発明の実施の形態１の加湿装置を示す斜視図
【図２】同加湿装置の斜視断面図
【図３】同加湿装置の天板取外し状態の斜視図
【図４】同加湿装置の静電霧化手段を示す斜視図
【図５】同加湿装置の静電霧化手段の斜視断面図
【図６】同加湿装置の正面側から見た縦断面図
【図７】同加湿装置の静電霧化手段取付け部付近の縦断面図
【図８】本発明の実施の形態２の加湿装置の静電霧化手段取付け部付近の縦断面図
【図９】本発明の実施の形態３の加湿装置の静電霧化手段取付け部付近の縦断面図
【発明を実施するための形態】
【００１０】
本発明の請求項１記載の加湿装置は、天面に吹出口と背面に吸気口を有し、内部に前記吹出口と前記吸気口を連通する送風路を形成した本体ケースと、前記送風路に設けた加湿手段および前記加湿手段を通過させて空気を通風する送風手段と、高電圧が印加される放電極、前記放電極に対向して設けた対向電極、および冷却部と放熱部を設けた熱交換部からなる静電霧化手段とからなる加湿装置であって、前記送風手段は、遠心ファンを内包するファンケーシングを備えた遠心式送風機で、前記ファンケーシングの吐出口を前記本体ケースの吹出口に臨ませて配設され、前記静電霧化手段は、前記本体ケースの天面の下方に前記ファンケーシングの吸込口側風路と遮断して形成されるとともに前記本体ケースの外部と連通する吸込開口を備えた空間部に配設され、その帯電微細水滴を前記空間部から前記ファンケーシング内に誘引する構成としたものであり、加湿手段の下流側であるファンケーシングの吸込口側風路とは仕切られた空間部に配設された静電霧化手段は、加湿手段を通過した高湿度の空気流にさらされることがなく、常湿の雰囲気で取り付けられる構成でよく、しかも、加湿手段を通過するときに気化熱が奪われて温度が低下する空気流の通風するファンケーシングは、その吐出口を本体ケースの天面の吹出口に臨ませて配設されるので、静電霧化手段を配設する空間部とともに本体ケースの天面の下方に設けられることとなり、静電霧化手段を配設した空間部の温度も低下し、静電霧化手段の放熱部における放熱は良好になり、静電霧化機能が向上して帯電微細水滴を安定して供給できる、という効果を奏する。
【００１１】
また、請求項２記載の加湿装置は、請求項１に記載の加湿装置において、前記遠心式送風機は、左右両方向に突設したモーターの回転軸に固着した２個の遠心ファンと、前記遠心ファンを内包する２個のファンケーシングとからなる遠心式送風機であり、前記空間部が前記２個のファンケーシングの間に形成されたものであり、気化熱が奪われて温度が低下した加湿手段を通過した空気流を旋回させながら通風する２個のファンケーシングの間に空間部が形成されるので、空間部の温度は室内の温度に比べてより低下したものとなる。
【００１２】
また、請求項３記載の加湿装置は、請求項１または２に記載の加湿装置において、前記静電霧化手段における帯電微細水滴の放出口と前記ファンケーシングの側面に形成したケーシング連通口とを連通する連通筒を設けたものであり、空間部に配設された静電霧化手段から発生した帯電微細水滴は、空間部に留まることなく連通筒に導かれてファンケーシング内に誘引され、室内に安定して供給される。
【００１３】
また、請求項４記載の加湿装置は、請求項３に記載の加湿装置において、前記ケーシング連通口を前記ファンケーシングの吐出口近傍の側面に設けたものであり、ケーシング連通口が遠心旋回流の風速の高い位置に形成されているので、空間部から連通筒を介してファンケーシング内へ誘引する力が増して、空間部で発生した帯電微細水滴を送風路に確実に誘引できることとなる。
【００１４】
また、請求項５記載の加湿装置は、請求項４に記載の加湿装置において、前記ファンケーシングの吐出口には、対向する前記側面のそれぞれを外方へ段差状に曲折して幅広部が形成され、前記幅広部にケーシング連通口を形成したものであり、ケーシング連通口は、ファンケーシング内を遠心旋回流する空気流の高速流部から隔てた側方に位置することとなり、ケーシング連通口付近における乱流の発生がなく、空間部からファンケーシング内への誘引が良好なものとなる。
【００１５】
また、請求項６記載の加湿装置は、請求項１〜５のいずれかに記載の加湿装置において、前記静電霧化手段は、前記熱交換部の放熱部を前記ファンケーシングの近傍に位置させて設けられたものであり、放熱部の放熱性がさらに向上することとなる。
【００１６】
また、請求項７記載の加湿装置は、請求項１〜６のいずれかに記載の加湿燥装置において、前記静電霧化手段は、前記放熱部が複数枚の放熱板を平行に並設して構成され、前記連通筒および放熱板を横方向に配置し、前記放熱板間の空隙を垂直方向にして取り付けられたものであり、放熱板の熱が垂直方向に形成された放熱板間の空隙から上昇して、スムーズに放出されることとなる。
【００１７】
また、請求項８記載の加湿装置は、請求項１〜５のいずれかに記載の加湿装置において、前記静電霧化手段は、前記熱交換部の放熱部を前記ファンケーシングの吸込口側風路に連通する空間に位置させて設けられたものであり、放熱部は、低温となったファンケーシングの吸込口側風路に位置するので、放熱性がいっそう向上したものとなる。
【００１８】
また、請求項９記載の加湿装置は、請求項８に記載の加湿装置において、前記静電霧化手段は、前記放出口および放熱板を縦方向に配置し、前記連通筒をＬ字形状にして前記ケーシング連通口と連通させたものであり、静電霧化手段から発生して連通筒を通り室内に伝播してくる音が、Ｌ字形状の連通筒において減衰されることとなる。
【００１９】
また、請求項１０記載の加湿装置は、請求項８に記載の加湿装置において、前記静電霧化手段は、前記放出口および放熱板を縦方向に配置し、前記連通筒に略直角の曲折部を形成して前記本体ケースの天面に設けた上向き連通口に連通させたものであり、静電霧化手段から発生して連通筒を通り室内に伝播してくる音が、連通筒に形成した略直角の曲折部によってより減衰されることとなる。
【００２０】
また、請求項１１記載の加湿装置は、請求項１０に記載の加湿装置において、前記連通筒の曲折部に水抜き穴を設けたものであり、上向き連通口から連通筒内に浸入してくる水滴を静電霧化手段に至る前に水抜き穴から排出することができる。
【００２１】
以下、本発明の実施の形態について、図１〜図９を参照しながら説明する。
【００２２】
（実施の形態１）
本発明の実施の形態１の加湿装置は、図１〜図３に示すように、天面を形成する天板６ａに吹出口１と背面に吸気口２を有し、内部に、加湿手段３を上流側に送風手段４を下流側に配設し、吹出口１と吸気口２を連通した送風路５を形成した箱状の本体ケース６と、本体ケース６の前面側に開閉自在かつ着脱自在に設けたフロントカバー７と、天面側に取り付けられた静電霧化手段８とからなる。なお、吸気口２には、フィルター９を備えたフィルター取付枠１０が着脱自在に取り付けられている。
【００２３】
加湿手段３は、図２に示すように、フロントカバー７を開けて着脱する給水タンク１１と、給水タンク１１からの給水を一定水位で貯える貯水ケース１２と、円筒状で外周部の一部が貯水ケース１２内の水に浸漬され、図示しない駆動モーターによって低速度で回転される加湿フィルター１３とからなる。
【００２４】
送風手段４は、図２および図３に示すように、モーター１４の左右方向に突設した回転軸１５に固着した２個の遠心ファン１６と、遠心ファン１６を内包して遠心旋回流を形成する２個のファンケーシング１７（図２にはそれぞれ右側のみ図示）とからなる遠心式送風機１８であり、ファンケーシング１７の吐出口１７ｂを本体ケース６の吹出口１に臨ませて配設されている。すなわち、ファンケーシング１７は天板６ａの直下に位置し、加湿手段３はそれより上流側に位置している。
【００２５】
また、図６に示すように、ファンケーシング１７の対向する吐出口近傍の側板１７ａのそれぞれは外方へ段差状に曲折され、吐出口１７ｂに幅広部１７ｄを形成している。
【００２６】
静電霧化手段８は、図４および図５に示すように、高電圧が印加される放電極１９と、放電極１９に対向して設けた対向電極２０と、放電極１９が設けられる冷却部２１および複数枚の放熱板２２を平行に並設して構成された放熱部２３を備えた熱交換部２４とからなり、熱交換部２４にＤＣ電源を供給すると、熱交換部２４において熱の移動が生じて冷却部２１の温度が低下し、また、移動した熱を放熱部２３から放熱するものである。そして、冷却部２１にて空気が冷却されて結露水が放電極１９に付着し、放電極１９に高電圧を印加すると、帯電した超微細水滴が発生して放出口２５から放出される。
【００２７】
上記構成の静電霧化手段８は、本体ケース６の天板６ａを取り外した状態を示す図３と、正面側から見た断面図である図６および図７を参照して説明すると、本体ケース６の天板６ａの下方に、２個のファンケーシング１７の間であって、本体ケース６内部のファンケーシング１７の吸込口側風路２８と本体ケース６外とを遮断する仕切板２６によって形成される空間部２７に配設されている。
【００２８】
また、静電霧化手段８は、複数枚の放熱板２２の間に形成される空隙が垂直方向となる方向（図４および図５に示す方向）にして、放熱板２２がファンケーシング１７の近傍となる位置に取り付けられている。
【００２９】
そして、図３に示すように、空間部２７には後方に切欠き部２９が形成され、この切欠き部２９は本体ケース６の吸気口２と連通し、空間部２７と室内を連通する吸込開口となる。
【００３０】
なお、切欠き部２９は、本体ケース６の上部背面板に通風口を設けて、この通風口を介して空間部２７と室内とを連通する通風開口としてもよく、要は、空間部２７が室内と連通するための吸込開口となればよい。
【００３１】
さらに、図６および図７に示すように、静電霧化手段８の放出口２５を、ファンケーシング１７の側板１７ａに形成したケーシング連通口３０に連通筒３１を介して連通させている。
【００３２】
ケーシング連通口３０は、ファンケーシング１７の吐出口１７ｂの幅広部１７ｄにおける側板１７ａに形成されている。
【００３３】
次に、上記構成の加湿装置の運転について説明する。
【００３４】
加湿手段３、遠心式送風機１８および静電霧化手段８に通電すると、送風路５内に通風されて水を含んだ加湿フィルター１３を空気流が通過し、加湿空気が吹出口１から室内に吹き出される。
【００３５】
一方、空間部２７では、静電霧化手段８によって帯電微細水滴を発生するととともに、遠心式送風機１８の送風により本体ケース６の吸気口２から吸気される空気の一部が空間部２７の切欠き部２９側に吸引され、空間部２７内の静電霧化手段８を通過して連通筒３１を通りファンケーシング１７内に誘引される誘引空気流が生じ、この誘引空気流に乗って帯電微細水滴がファンケーシング１７内に流入し、加湿空気流に含まれて室内に吹き出され、室内を加湿するととともに、ウイルス、カビ菌、付着臭等に対して無力化、抑制、脱臭等の作用を奏する。
【００３６】
そして、空気流が加湿フィルター１３を通過するとき、気化熱が奪われて温度が低下し、下流の送風路５に低温の空気流が通風され、ファンケーシング１７内に低温の空気流が遠心旋回流となって流れ、ファンケーシング１７の温度も同様に低下する。ファンケーシング１７の温度が低下すると、ファンケーシング１７を仕切られた空間の形成面とし、しかも２個のファンケーシング１７の間に形成される空間部２７の温度も低下し、静電霧化手段８は、この温度の低下した空間部２７に設けられ、かつ、放熱板２２がファンケーシング１７の近傍となる位置に取り付けられているので、放熱部２３からの放熱性が良好となる。
【００３７】
さらに、複数枚の放熱板２２の間の空隙を垂直方向にしているので、放熱板２２の熱を上昇流として放熱することができ、放熱性はこの点においても良好なものとなり、冷却部２１の冷却作用が向上して放電極１９に水分が結露して付着しやすくなり、帯電微細水滴を安定して供給できることとなる。
【００３８】
また、静電霧化手段８には、室内の常湿の空気が通過するだけの空間部２７に設けられているので、熱交換部２４に水の浸入を防止する構成を施す必要がない。
【００３９】
また、上記の静電霧化手段８の放出口２５とファンケーシング１７内とを連通する連通筒３１によって帯電微細水滴をファンケーシング１７内に誘引することにより、空間部２７に配設された静電霧化手段８から発生した帯電微細水滴は空間部２７に留まることなく送風路５に導かれることとなる。
【００４０】
さらに、ケーシング連通口３０は、ファンケーシング１７の吐出口１７ｂ近傍の側板１７ａに形成されているので、遠心旋回流の風速の高い箇所に位置することとなり、ファンケーシング１７内への誘引力が大きくなって、空間部２７で発生した帯電微細水滴を確実に誘引できることとなる。
【００４１】
また、ケーシング連通口３０は、ファンケーシング１７の吐出口１７ｂの幅広部１７ｄにおける側板１７ａに形成されているので、ファンケーシング１７内の遠心旋回流のうち遠心ファン１６の幅とほぼ同じ幅となる高速の主空気流部から側方へ隔ててケーシング連通口３０が位置するので、ケーシング連通口３０付近における乱流がなく、誘引空気流はファンケーシング１７内に滑らかな流れとなって誘引されていき、在室する使用者が不快に感じる騒音の発生をなくすことができる。
【００４２】
（実施の形態２）
本発明の実施の形態２の加湿装置は、図８に示すように、上記実施の形態１の加湿装置に対し、静電霧化手段８を、放出口２５と放熱板２２が上下方向に並ぶ縦方向に配置し、放熱板２２がファンケーシング１７の吸込口側風路２８に連通する空間３２に位置させるとともに、上向きの放出口２５とファンケーシング１７の側板１７ａに形成されたケーシング連通口３０とを、Ｌ字形状の連通筒３１Ａによって連通する構成とした点に特徴がある。
【００４３】
上記構成により、低温の空気流が通風されるファンケーシング１７の吸込口側風路２８に位置する放熱板２２は、放熱性がより向上したものとなり、冷却部２１の冷却作用が向上して放電極１９における結露がしやすくなり、静電霧化機能がより向上したものとなる。
【００４４】
また、静電霧化手段８から音が発生し連通筒３１Ａを通ってファンケーシング１７の吐出口１７ｂから室内へ伝播してきても、Ｌ字形状をした連通筒３１Ａにおいて減衰し、在室者が耳障りな音を感じることをなくすことができる。
【００４５】
（実施の形態３）
本発明の実施の形態３の加湿装置は、図９に示すように、上記実施の形態２の加湿装置に対し、連通筒３１Ｂがほぼ直角の曲折部３３を２箇所に有し、一端側を放出口２５に接続し、もう一端側を本体ケース６の天板６ａに設けた上向き連通口３４に接続した構成とした点に特徴がある。
【００４６】
上記構成の加湿装置を運転すると、遠心式送風機１８の送風により本体ケース６の吹出口１から吹き出される空気流に、天板６ａの上向き連通口３４に連通筒３１Ｂを介して連通する空間部２７内の空気が誘引され、この誘引流に乗って、空間部２７内で静電霧化手段８から発生した帯電微細水滴は室内に放出される。
【００４７】
上記運転において、静電霧化手段８から音が発生し連通筒３１Ｂを通ってファンケーシング１７の吐出口１７ｂから室内へ伝播してきても、ほぼ直角の曲折部３３において減衰し、在室者への耳障りな音の伝播阻止の作用効果は著しいものとなる。
【００４８】
なお、本実施の形態３の連通筒３１Ｂは、ほぼ直角の曲折部３３を２箇所有した形状としたが、ほぼ直角の曲折部３３は１箇所で、この曲折部３３と放出口２５との間を緩やかな曲折で接続する形状としても、連通筒における音の減衰は、在室者への耳障りな音の伝播を阻止する十分な減衰となる。
【００４９】
そして、連通筒３１Ｂは本体ケース６の天板６ａに設けた上向き連通口３４に連通接続されているので、天板６ａの上向き連通口３４付近に水が付着すると連通筒３１Ｂ内に浸入していくことがあるが、この水は曲折部３３に設けた水抜き穴３５から排出され、静電霧化手段８の熱交換部２４にまで至ることはない。
【産業上の利用可能性】
【００５０】
本発明に係る加湿装置は、静電霧化手段に水に対する保護構成を施すことなく、放電極に水を十分に結露させて付着することができ、高電圧を印加して霧化する帯電微細水滴を安定して供給できる作用効果を奏し、気化式の加湿装置において有用なものとなる。
【符号の説明】
【００５１】
１      吹出口
２      吸気口
３      加湿手段
４      送風手段
５      送風路
６      本体ケース
６ａ    天板
８      静電霧化手段
１４    モーター
１５    回転軸
１６    遠心ファン
１７    ファンケーシング
１７ａ  側板
１７ｂ  吐出口
１７ｄ  幅広部
１８    遠心式送風機
１９    放電極
２０    対向電極
２１    冷却部
２２    放熱板
２３    放熱部
２４    熱交換部
２５    放出口
２７    空間部
２８    吸込口側風路
２９    切欠き部
３０    ケーシング連通口
３１    連通筒
３１Ａ  連通筒
３１Ｂ  連通筒
３２    空間
３３    曲折部
３４    上向き連通口
３５    水抜き穴
【図１】
2011153782.tif 000003
【図２】
2011153782.tif 000004
【図３】
2011153782.tif 000005
【図４】
2011153782.tif 000006
【図５】
2011153782.tif 000007
【図６】
2011153782.tif 000008
【図７】
2011153782.tif 000009
【図８】
2011153782.tif 000010
【図９】
2011153782.tif 000011